(57)【特許請求の範囲】
【請求項１】
打球供給皿が装着される前面板の裏側に、打球供給皿からパチンコ球が流入する球入口と発射レ−ルの発射部にパチンコ球を送り出す供給口とが形成された球通路を設け、該球通路の終端部の側壁に球抜通路に通ずる球抜取口を開設すると共に、該球抜取口を開閉自在にする球止壁板を設け、球通路の終端部には供給口と連通し、かつ前記球抜取口側へ下傾する球受棚を設け、前記発射レールの取り付けられている平面と平行な横軸によって前記球受棚の下部に軸支されて上下に回動する球供給部材を配設し、前記球供給部材は一端に球通路内へ進退して球受棚に待機するパチンコ球を供給口へ押し出す球押出部と他方端には前記球押出部の球通路内への進退に対応して供給口を開閉する球止部とを一体に有してなり、前記球止壁板をスライドさせて球受棚上面に載るパチンコ球を球抜通路に落下させるようにしたことを特徴とするパチンコ機。
【発明の詳細な説明】
【０００１】
【発明の属する技術分野】
本発明は、前面板の前側に設けられる打球供給皿のパチンコ球を下部貯留皿に抜き取る際に打球供給装置内にパチンコ球が残らないようにすることができるようにしたパチンコ機に関するものである。
【０００２】
【従来の技術】
従来のパチンコ機においては、前面板の前側に打球供給皿を装着し、また前面枠の前面下部に下部球受皿を装着し、打球供給皿のパチンコ球を前面板の裏面に設けられた打球供給装置に導いて１個づつ発射レ−ルの発射位置に供給するようになっている。一方、打球供給皿の底部には球抜孔が設けられると共に、該球抜孔にスライド板が配設されており、該スライド板を移動させて球抜孔を解放することにより打球供給皿のパチンコ球を下部球受皿に抜き取るようにしていた。
【０００３】
上記した従来のパチンコ機にあっては、打球供給皿のパチンコ球を底部の球抜孔から直接に下部球受皿へ抜き出すようにしているため、打球供給装置に導かれたパチンコ球は抜き取られないで打球供給装置内にそのまま残されてしまうという問題があった。
【０００４】
そこで、上記のような問題点を解決するために、打球供給皿のパチンコ球を打球供給装置へ導く供給通路の底面に球抜取口を設け、該球抜取口を可動底板のスライド操作によって開閉するようにしたもの、或いは打球供給装置の終端から流出するパチンコ球を球抜取口側に転動させ得る状態で支持する受け部材と、該受け部材に支持されたパチンコ球が球抜取口に落下するのを阻止する球抜部材とを設け、該球抜部材を受け部材から離れる方向に変位させるようにして、打球供給装置内にパチンコ球を残すことなく打球供給皿のパチンコ球を下部球受皿に抜き取るようにしたものが知られている（例えば実公平４−３２１４７号公報、実公平６−３６４８号公報参照）。
【０００５】
【発明が解決しようとする課題】
しかし、従来の技術で述べたもののうち前者においては、供給通路を流下するパチンコ球の重量に抗して可動底板をスライド操作させなければならず、大きな操作力を必要として円滑な球抜き操作が望めないという問題点を有している。
【０００６】
また、後者においては球抜き操作を行う際にパチンコ球が常に受け部材に当たりながら球抜きされるため、受け部材が破損したり、ガタついたりして本来の役割である発射装置への球供給に支障をきたすという問題点を有している。
【０００７】
本発明は、従来技術の有するこのような問題点に鑑みてなされたものであり、その目的とするところは、球抜取口を解放したときにパチンコ球の自重で球抜取口から転出させるようにし、球抜き時に直接球供給部材に負担を掛けることなく打球供給装置内にパチンコ球を残さずに打球供給皿の総てのパチンコ球を抜き取ることができるパチンコ機を提供しようとするものである。
【０００８】
【課題を解決するための手段】
上記目的を達成するために、本発明にかかるパチンコ機は、打球供給皿が装着される前面板の裏側に、打球供給皿からパチンコ球が流入する球入口と発射レ−ルの発射部にパチンコ球を送り出す供給口とが形成された球通路を設け、該球通路の終端部の側壁に球抜通路に通ずる球抜取口を開設すると共に、該球抜取口を開閉自在にする球止壁板を設け、球通路の終端部には供給口と連通し、かつ前記球抜取口側へ下傾する球受棚を設け、該球受棚の下部に軸支されて上下に回動する球供給部材を配設し、前記球供給部材は一端に球通路内へ進退して球受棚に待機するパチンコ球を供給口へ押し出す球押出部と他方端には前記球押出部の球通路内への進退に対応して供給口を開閉する球止部とを一体に有してなり、前記球止壁板をスライドさせて球受棚上面に載るパチンコ球を球抜通路に落下させるようにした。
【０００９】
前記球受棚の上面は、所定の曲率半径の円弧面に形成し、円弧面の周方向を球供給部材を軸支する横軸と直行させて設置し、球抜取口側へ所定の勾配で下り傾斜させて設置するのが好ましい。
【００１０】
【発明の実施の形態】
本発明の実施の形態を図面に基づいて説明する。図１は本発明に係るパチンコ機の正面図、図２はガラス枠及び前面枠を解放して示すパチンコ機の下部部分の斜視図を示し、１はパチンコ機の前面枠、２は前面枠１の後面に着脱自在に装着される遊技盤であって、該遊技盤２の右下側に発射レ−ル３が装着されている。４は発射レ−ル３の発射部５に先端が臨む打球槌、６は発射レ−ル３の前面を覆う前面板であって、遊技盤２の上方部を覆うガラス扉枠７と共に前面枠１の一側に開閉自在に装着されている。前記前面板６の表面にはパチンコ球払出装置（図示せず）から払い出されたパチンコ球を貯留し、そのパチンコ球を後述する打球供給装置１８に供給する打球供給皿８が装着されている。また、前面枠１の下部前面には打球供給皿８の余剰球を貯留する下部貯留皿９と操作ハンドル１０が設けられている。
【００１１】
前記打球供給皿８は、図３に示すように、本体部８ａと該本体部８ａの前面外側を覆うカバ−部材８ｂとから構成されている。本体部８ａはパチンコ球を貯留する皿部１１と該皿部１１の上縁部分を囲う飾板部１２及び皿部１１の下方に延出する側板部１３とを有する。前記皿部１１は底部が一方に緩やかに下り傾斜し、その傾斜下部にパチンコ球が一列に整列する球流下通路１４が形成されており、該球流下通路１４の下流端が位置する前面板６には皿部１１のパチンコ球を前面板６の裏側に導く上部通孔１５が開設されている。また、球流下通路１４の下流端には球抜孔１６が開設されて側板部１３に形成された球抜通路１７に連通されている。そして、前面板６の裏面に打球供給装置１８が設けられる。
【００１２】
前記打球供給装置１８は、図４に示すように、箱状のケ−ス体１９と球供給部材２０と、該球供給部材２０を作動させる電気的駆動手段である電磁石２１とから大略構成される。ケ−ス体１９は台板部１９ａと本体部１９ｂとに分割して形成され、これらを合体して一体化される。前記ケ−ス体１９は、上部通孔１５に合致する球入口２２と、該球入口２２と連通し且つパチンコ球一個が通過可能な垂直な球通路２３と、発射レ−ル３の発射部５に臨む供給口２４とを有し、球通路２３の終端部の前記供給口２４に連通させる位置に球受棚２５が設けられる。そして、打球供給皿８のパチンコ球は、球入口２２から球通路２３に流入して最先端のパチンコ球Ｂ１が球受棚２５に受け止められて待機すると共に複数のパチンコ球が球通路２３に連続して流入するようになっている、また、該球受棚２５の下面下方に発射レ−ル３に対して平行に設置する横軸２６に球供給部材２０が上下方向に回動自在に軸支されている。すなわち、球供給部材２０は、発射レール３の取り付けられている平面と平行な横軸２６によって軸支されている。
【００１３】
前記球供給部材２０は、球入口２２側に位置する揺動部２７の一方端に球押出部２８と供給口２４側に位置する他方端に球止部２９とを一体に有してＣ字形状に形成する。この球供給部材２０は揺動部２７の球止部２９寄り位置で横軸２６に軸支して該横軸２６を支点に球押出部２８を上下方向へ回動自在に設置する。そして、揺動部２７が下向回動したとき、球押出部２８の先端が球通路２３から退くと共に球止部２９が供給口２４を閉じ、揺動部２７が上向回動したときは、球押出部２８の先端が球通路２３に入り込むと共に球止部２９は供給口２４を開放するように形成される。また、前記揺動部２７の球押出部２８側寄り位置に前記横軸２６と平行して前記電磁石２１に係合する係合ピン３０が突設されている。
【００１４】
前記電磁石２１はケ−ス体１９の本体部１９ｂの球通路２３の一方側に延設された収納空間３１の中に納められて台板部１９ａに取り着けられ、圧縮コイルバネ３２により下方へ突出するように付勢されたプランジャ−３３の下端の係止部材３４に備える係合孔３５に前記係合ピン３０が連結される。そこで、電磁石２１が消磁しているときは、圧縮コイルバネ３２の付勢によりプランジャ−３３が下方へ突出して球供給部材２０の球押出部２８が横軸２６を支点として押し下げられて球通路２３の外部へ退くと共に球止部２９が供給口２４を塞ぐ位置となる。そして、電磁石２１が励磁すると、圧縮コイルバネ３２の付勢に抗してプランジャ−３３が上方へ吸引され球供給部材２０の球押出部２８が横軸２６を支点として押し上げられて球通路２３内に入り込むと共に球止部２９が供給口２４を開放する。
【００１５】
前記打球供給装置１８は、前記球通路２３の終端の側壁に球抜取り用の球抜取口３６が開設されており、ケ−ス体１９の他方側には球抜取口３６を介して球通路２３と連通する球抜通路３７が延設形成されている。また、ケ−ス体１９の台板部１９ａには、前面板６の下部通孔３８に合致する球導口３９が開設され、球抜通路３７を側板部１３に配設される球抜樋１７と連通させている。
【００１６】
前記球受棚２５は、長手方向を球抜取口３６の側へ所定の勾配で下り傾斜させて設置する。また球受棚２５の上面は図６に示すように、最先端のパチンコ球Ｂ１の真上に位置するパチンコ球Ｂ２の球心を中心点Ｏとする曲率半径ｒの円弧面２５ａとしている。これにより、球供給部材２０の軸支部分の遊びや電磁石２１のプランジャー３３のストローク等の要因によって、球供給部材２０が過回動を生じて図６鎖線に示すようにパチンコ球Ｂ１が後ろに戻されても後続のパチンコ球Ｂ２を上動するような逆流現象が起らず、球止部２９にも負荷が掛からず球供給部材２０の破損が防止される。
【００１７】
前記打球供給皿８に貯留されているパチンコ球を球抜きするための球抜き部材Ａは、図３に示すように、打球供給皿８の皿部１１の球流下通路１４の球抜孔１６を塞ぐ底壁板４１と、打球供給装置１８の球通路２３に備える球抜取口３６を塞ぐ球止壁板４２とを摺動軸部４３に一体に設けて形成される。そして、前記摺動軸部４３を打球供給皿８の側板部１３に形成された箱状のガイド部４４に左右方向へ往復移動自在に支持し、底壁板４１を球抜孔１６を塞ぐ位置に配設すると共に、球止壁板４２を、前面板６のガイド長孔４５と台板部１９ａの貫通長孔４６から球抜通路３７へ臨ませて前記球通路２３の球抜取口３６を塞ぐ位置に配設し、摺動軸部４３の左右往復動に伴って球抜孔１６と球抜取口３６とを同時に開閉するようにしている。
【００１８】
前記球抜き部材Ａは、図９、図１０に示すように、打球供給皿８の側板部１３の軸４７に揺動自在に軸支されたレバ−部材４８に備える長孔４９に摺動部材４３の突起５０を臨ませて連接すると共に該レバ−部材４８にはコイルばね５１が連結されており、球抜き部材Ａを常に図５、図８実線のように打球供給皿８の球流下通路１４の終端に開設する球抜孔１６及び打球供給装置１８の球抜取口３６を閉じる位置に付勢している。前記レバ−部材４８の上部に横向きに突設する頭部５２と軸５４に枢着した操作部材５３の自由端と接触位置し、該操作部材５３を打球供給皿８の飾板部１２に開設した透孔５５から上方へ突き出させて設置し、該操作ボタン５３の自由端側を押圧することにより球抜き部材Ａが球抜孔１６及び球抜取口３６を開放する位置に移動させることができるようになっている。
【００１９】
次に、このように構成したパチンコ機の作用を説明する。打球供給皿８に貯留されるパチンコ球は皿部１１の球流下通路１４を一列に整列されながら前面板６の流出口１５から打球供給装置１８の球入口２２を経てケ−ス体１９の球通路２３に流入する。そして、図６、に示すように、球通路２３に連続して流入した最先端部のパチンコ球Ｂ１は球受棚２５の上に待機する。
【００２０】
この状態で打球槌４が図５鎖線のように発射準備位置に回動されると、これに伴って電磁石２１に通電されて該電磁石２１のプランジャ−３３が圧縮コイルばね３２の付勢に抗して上方へ吸引され、球供給部材２０の揺動部２７が横軸２６を支点として上向上動される。これによって、図７に示すように、球押出部２８が球通路２３へ入り込むと共に球止部２９が供給口２４を開放する。このときに、球押出部２８は球受棚２５のパチンコ球Ｂ１の真上に位置するパチンコ球Ｂ２を球押出部２８の上面で受け止めながら球受棚２５上に位置するパチンコ球Ｂ１のみを球押出部２８で押して供給口２４から発射レ−ル３の発射部５へ送り出す。この状態において、パチンコ球Ｂ１の真上に位置していたパチンコ球Ｂ２は球押出部２８の上に位置して、球押出部２８が球通路２３内にある間はパチンコ球Ｂ２の球受棚２５への落下が阻止されている。
【００２１】
次に、この状態から打球槌４が図５実線で示す発射位置に回動すると、電磁石２１への通電が遮断され、電磁石２１のプランジャ−３３が圧縮コイルばね３２の付勢により下方へ突出し、球供給部材２０の揺動部２７が横軸２６を支点として下向回動させる。これによって、図６に示すように、球押出部２８が球通路２３の外へ退き、同時に球止部２９が供給口２４を塞ぐ位置に上向回動する。この状態では、球押出部２８の上に受け止められていたパチンコ球Ｂ２が球受棚２５に落下し、球止部２９に受け止められて球受棚２５上に待機位置する。その後は、打球槌４の往復回動動作と同期する電磁石２１の励・消磁ごとに打球供給皿８から打球供給装置１８の球通路２３に流入したパチンコ球が１個ずつ確実に発射レ−ル３の発射位置５に送り出される。
【００２２】
このように、打球槌４が発射準備位置に回動されたとき、発射レール３の発射位置５には必ずパチンコ球が存することになるので、始め空打ちするようなことがなく連続して安定した球打ちが可能となる。また、球通路２３内に流入した最先端のパチンコ球は球受棚２５上に受けられることから、打球供給皿８内に貯留されるパチンコ球の球圧が球供給部材２０にほとんど加わることがないので、球供給部材２０は極めて円滑に回動動作し、しかも、電磁石２１に余分な抵抗が加わらないことから、故障の原因になるようなこともない。
【００２３】
一方、打球供給皿８内のパチンコ球を下部球受皿９に抜き取る場合は、操作部材５３を図１０鎖線のように下方へ押圧してレバー部材４８をコイルばね５１の付勢に抗して回動させる。これによって球抜き部材Ａが図８及び図９に示すようにレバー部材４８の長孔４９に臨む突起５０を介してスライドし、底壁板４１と球止壁板４２とが図８及び図９鎖線のように移動して球抜孔１６及び球抜取口３６を解放させる。
【００２４】
これによって、図９に示すように底壁板４１で受け止められていたパチンコ球はその支持を失い球抜孔１６から球抜通路１７へ落下する。同時に図８に示すように球通路２３内の球止壁板４２で受け止められていたパチンコ球も図８鎖線に示すようにその支持を失い球抜取口３６を介して球抜通路３７へ落下し、前面板６の下部開口３８を通り球抜通路１７に流出する。そして、これらパチンコ球は図１１に示されるように前面板６に設けられた球導口５５へ排出され、更に球抜きシュート４０を通って下部球受皿９に排出される。このようにして打球供給皿８と打球供給装置１８内のパチンコ球を残すことなくすべて抜き取ることができる。
【００２５】
打球供給皿８内のパチンコ球を下部球受皿９に抜き取った後、操作部材５３の押圧を解除すると、コイルばね５１の付勢によってレバー部材４８が図１０実線位置に復帰し、同時に球抜き部材Ａを図１０実線位置に移動させ球抜孔１６を底壁板４１、また球抜取口３６を球止壁板４２でそれぞれ塞ぎ、球入口２２から流入するパチンコ球を球通路２３内に連続して待機させる。
【００２６】
次に図１２及び図１３において、球抜き部材Ｂが示されている。そして、該球抜き部材Ｂが設けられる打球供給皿１０８は、図３に示すような球抜きをするための球抜孔１６が球流下通路１１４の流下端部に開設していない状態に形成される。しかし、前面板１０６の裏面には前記打球供給皿１０８のパチンコ球を発射レ−ル３の発射部５へ供給するために、図３に示す球抜き部材Ａを装着した場合とまったく同一の打球供給装置１１８が装着される。
【００２７】
即ち、図１２に示す打球供給装置１１８は打球供給皿１０８からパチンコ球が流入する球入口１２２と発射レ−ル３の発射部５にパチンコ球を送り出す供給口１２４とが形成された垂直な球通路１２３を有し、、前記球通路１２３の終端部パチンコ球を受け止めて待機させる球受棚１２５を有し、該球受棚１２５の下部には、球通路１２３内へ進入退出して球受棚１２５に待機するパチンコ球を供給口１２４へ押し出し自在にする球押出部１２８と前記球押出部１２８の球通路１２３内への進退に対応して供給口１２４を開閉する球止部１２９とを一体に有する球供給部材１２０が上下に回動自在に軸支され、そして、前記球通路１２３の終端部分の側壁に球受棚１２５に連通する球抜取口１３６を開設して形成されている。
【００２８】
そして、図１２に示す球抜き部材Ｂは、前記球抜取口１３６を塞ぐ球止壁板１４２を摺動軸部１４３に一体に設けて形成される。該球抜き部材Ｂは、摺動軸部１４３を打球供給皿１０８の側板部１１３に形成されたガイド部１４４に左右方向へ摺動自在に支持し、球止壁板１４２が球抜取口１３６を閉じる位置と解放する位置に左右往復動自在に配設される。
【００２９】
また、前記球抜き部材Ｂは、打球供給皿１０８の側板部１１３の軸１４７に揺動自在に軸支されたレバ−部材１４８に備える長孔１４９に摺動部材１４３の突起１５０を臨ませて連接すると共に該レバ−部材１４８に連結されたコイルばね１５１により、球抜き部材Ｂを常に図１３実線のように球抜取口１３６を閉じる位置に付勢し、そして、軸１５４に枢着した操作部材１５３とレバ−部材１４８の頭部１５２と接触位置させ、操作部材１５３の自由端側を押圧することにより球抜き部材Ｂが球抜取口１３６を解放する位置に移動させることができるようになっている。
【００３０】
次に打球供給皿１０８内のパチンコ球を下部球受皿９に抜き取る場合は、球抜き部材Ａを装着した場合と同じように操作部材１５３を下方へ押圧してレバー部材１４８をコイルばね１５１の付勢に抗して回動させる。これによって球抜き部材Ｂがレバー部材１４８の長孔１４９に臨む突起１５０を介してスライドし、球止壁板１４２が図１３鎖線のように移動して球抜取口１３６を開放させる。
【００３１】
これによって球通路１２３内のパチンコ球は球受棚１２５の傾斜によって球止壁板１４２で受け止められていた支持を失い球抜取口１３６から球抜通路１３７へ落下し、球導口１３９，下部開口１３８，球抜通路１１７，球導口１５５，球抜シュート４０を通って下部球受皿９に排出される。このようにして、打球供給皿１０８のすべてのパチンコ球は打球供給装置１１８の球通路１２３を通って一球も残すことなくすべて抜き取ることができる。
【００３２】
【発明の効果】
本発明は上記したことから明らかなように、打球供給皿のパチンコ球を抜取る場合、球通路の終端部の球受棚が球抜取口側へ下方傾斜していることから、球受棚に乗る最先端のパチンコ球が球止壁板に寄りかかっていることとなり、球止壁板がスライドして球抜取口を解放すると支持を失ってパチンコ球の自重により球抜通路へ落下するので、球通路内のパチンコ球も抜取られることになる。また、打球供給皿の球流下通路の終端に球抜孔が設けられていない場合には、打球供給皿のパチンコ球は、打球供給装置の球通路を必ず通って球抜取口から抜取られることになり、これにより、パチンコ球を打球供給装置内に残すことなく下部球受皿に抜取ることができる。
【００３３】
また、球通路の終端部に設けられた球受棚によって、球抜き操作の際に直接パチンコ球が球供給部材に当たることがないので球供給部材を破損することなく球抜きすることができる。
【図面の簡単な説明】
【図１】本発明が適用されるパチンコ機の正面図である。
【図２】ガラス枠及び前面板を解放した状態を示すパチンコ機の下部斜視図である。
【図３】球抜き部材Ａが設けられた打球供給皿部分の分解斜視図である。
【図４】打球供給装置の分解斜視図である。
【図５】打球槌と打球供給装置部分の関係を示す断面図である。
【図６】球供給部材が下向回動したときの打球供給装置の作用を説明する断面側面図である。
【図７】球供給部材が上向回動したときの打球供給装置の作用を説明する断面側面図である。
【図８】打球供給装置と球抜き部材Ａの関連構成を示す平面断面図である。
【図９】打球供給装置と球抜き部材Ａの関連構成を示す正面断面図である。
【図１０】球抜き部材を作動するためのレバ−部材を示す作用図である。
【図１１】打球供給皿と下部球受皿の関係を示す断面図である。
【図１２】球抜き部材Ｂが設けられた打球供給皿部分の分解斜視図である。
【図１３】打球供給装置と球抜き部材Ｂの関連構成を示す平面断面図である。
【符号の説明】
１        前面枠
３        発射レ−ル
５        発射部
８        打球供給皿
９        下部球受皿
１４      球流下通路
１８      打球供給装置
１９      ケ−ス体
２０      球供給部材
２１      電磁石
２２      球入口
２３      球通路
２４      供給口
２５      球受棚
２６      横軸
２７      揺動部
２８      球押出部
２９      球止部
３６      球抜取口
【図１】
0004412682.tif 000002
【図２】
0004412682.tif 000003
【図３】
0004412682.tif 000004
【図４】
0004412682.tif 000005
【図５】
0004412682.tif 000006
【図６】
0004412682.tif 000007
【図７】
0004412682.tif 000008
【図８】
0004412682.tif 000009
【図９】
0004412682.tif 000010
【図１０】
0004412682.tif 000011
【図１１】
0004412682.tif 000012
【図１２】
0004412682.tif 000013
【図１３】
0004412682.tif 000014